(57)【特許請求の範囲】
【請求項１】
ダンパのピストンロッドにバンプストッパを備え、該バンプストッパ上方に、ダンパ本体の上動時に前記バンプストッパの上面部が当接する受け部が配置されたバンプストッパ構造であって、前記バンプストッパの前記上面部に、上方へ突出する突起を備え、上記突起は、前記受け部と当接した際に所定方向に撓み変形するように、前記上面部における箇所に、前記所定方向に傾いた突形状で設けられ、かつ座屈しないで撓み変形する肉厚を有して形成され、前記所定方向は、前記突起が、前記受け部と当接した際に、前記上面部の径方向外側へはみ出さず該上面部の側へ撓み変形して倒れる方向であり、さらに前記突起は、前記受け部と当接した際に、前記上面部に倒れ込んだ部位が、前記受け部からの荷重を受けて上下方向に圧縮変形するように、前記上面部よりも上方に位置する厚みを有して形成された
バンプストッパ構造。
【請求項２】
前記上面部に、倒れた状態の前記突起の一部を格納し、残りの部分を前記上面部に対して突出させる凹部を設けた
請求項１に記載のバンプストッパ構造。
【請求項３】
前記凹部は前記突起の厚みよりも浅く形成した
請求項２に記載のバンプストッパ構造。
【請求項４】
前記凹部は前記突起の高さよりも短く形成した
請求項２、又は３に記載のバンプストッパ構造。
【発明の詳細な説明】
【技術分野】
【０００１】
この発明は、ダンパのピストンロッドに取り付けられ、ダンパ本体の上動時に上面部が受け部に当接して衝撃吸収を行うバンプストッパ構造に関する。
【背景技術】
【０００２】
従来から車両のサスペンション装置として、車輪支持部材と車体側部材との間にストラット式のダンパ装置を介設して車輪の振動を吸収するようにしたものが知られている。
【０００３】
このようなサスペンション装置においては、ダンパ本体と、バンプストッパを受け止める受け部との間に、ダンパ本体の変位量が急激に大きく変化するバンプ時に、その衝撃荷重（ダンパ本体の突上げ荷重）を受け止めて吸収するバンプストッパが設けられている。
【０００４】
この種のバンプストッパには、受け部側に固定されるタイプのものとダンパのロッド側に取り付けられるタイプのものとがある。
【０００５】
このうち、前者の場合は受け部側にバンプストッパの取付構造を設ける必要があるため、装置自体が大型化するおそれがあるのに対して、後者の場合には、バンプストッパをその弾性力を活かして、ダンパのロッドに対して摺動可能に取り付けることができるため、バンプストッパをコンパクトに配置することができるメリットがある。
【０００６】
しかしその一方で、後者の場合は、バンプストッパがダンパのロッドに対して固定されず、上述したように、摺動可能な状態で取り付けられるため、バンプ時においてダンパ本体が上動してバンプストッパに衝突すると、バンプストッパがダンパのロッドに沿ってスライドして、その上面部が受け部への当接時に異音が発生するおそれがあった。
【０００７】
しかも、バンプストッパは、ダンパのロッドとの接触抵抗により、バンプ時にダンパ本体が衝突直後にダンパのロッドに沿って滑らかにスライドせず、スライド開始前の位置において踏ん張るように留まりながらある程度圧縮する。その後、バンプストッパは、その圧縮に対する反力も加わった状態で一気に上動して上面部が受け部に衝突するため、バンプ時に打音のような異音が発生するおそれもあった。
【０００８】
バンプ時に、ダンパのロッド側に取り付けられるタイプのバンプストッパの上面部が受け部に衝突する際に異音が発生するという上述した課題に対して、例えば、下記特許文献１が提案されている。
【０００９】
特許文献１には、後端側（上面部側）に、バンプストッパ受け止め部材（受け部）側に向かって長く突出するとともに、上方程径方向外側に拡がるように長尺状に突出したリップ（１２）と、該リップ（１２）が所定量だけ撓むとバンプストッパ受け止め部材に当接する半球状に突出したリップ（１６）との２種類のリップを備えたバンプストッパが開示されている（特許文献１中の図６参照）。
【００１０】
しかしながら特許文献１のバンプストッパの場合、長尺状のリップ（１２）を、径方向外側へ撓むように径方向外側に拡がる形状で形成しているため、該リップ（１２）がバンプストッパ受け止め部材への当接時には上面部に対して径方向外側へはみ出して撓み変形することになる。
【００１１】
そうすると、バンプストッパがバンプストッパ受け止め部材への当接時にリップ（１２）による十分な衝撃吸収性能（緩衝性能）を得るためにリップ（１２）が径外方向に撓むことができるスペースをバンプストッパの径方向外側周辺に確保する必要があり、バンプストッパの配置箇所をコンパクト化することができない点で改善の余地があった。
【００１２】
その一方で長尺状のリップ（１２）を、バンプストッパの上面部の径方向内側に撓むように形成した場合には、該長尺状のリップ（１２）が撓み変形時に半球状のリップ（１６）に重なることにより十分な衝撃吸収性能を得ることができないおそれがあった。
【００１３】
また、特許文献２には、受け部との当接時の緩衝用の突起として、上面部から上方へ向けて突出させた環状の突起を備えたバンプストッパが開示されている。
【００１４】
しかし、特許文献２の突起は、上面部から真直ぐに上方へ向けて突出しているため（特許文献２中の図４、図６参照）、受け部との当接時に突起が径方向内側と径方向外側とのいずれの側へ倒れるかについて特定し難い。このため、受け部との当接時に突起が撓み変形する際に、該突起が上面部に対して径外方向へ確実にはみ出さないようにしようとするためには、突起を上面部の真中辺りのみに配置せざるを得ないことや突起の長さを十分に確保できないという制約を受けることなる。
【００１５】
従って、特許文献２のバンプストッパは、突起による十分な衝撃吸収性能を得ることができないおそれがあり、上述した特許文献１のバンプストッパも含めて結果的に異音防止効果が期待できないおそれがあった。
【先行技術文献】
【特許文献】
【００１６】
【特許文献１】特開２００６−３８０２２号公報
【特許文献２】特開昭６２−２１５１３７号公報（特公平０３−０５６３３３号公報）
【発明の概要】
【発明が解決しようとする課題】
【００１７】
そこでこの発明は、バンプストッパの配置箇所をコンパクトにしつつ、突起による異音防止効果を得ることを目的とする。
【課題を解決するための手段】
【００１８】
この発明のバンプストッパ構造は、ダンパのピストンロッドにバンプストッパを備え、該バンプストッパ上方に、ダンパ本体の上動時に前記バンプストッパの上面部が当接する受け部が配置されたバンプストッパ構造であって、前記バンプストッパの前記上面部に、上方へ突出する突起を備え、上記突起は、前記受け部と当接した際に所定方向に撓み変形するように、前記上面部における箇所に、前記所定方向に傾いた突形状で設けられ、かつ座屈しないで撓み変形する肉厚を有して形成され、前記所定方向は、前記突起が、前記受け部と当接した際に、前記上面部の径方向外側へはみ出さず該上面部の側へ撓み変形して倒れる方向であり、さらに前記突起は、前記受け部と当接した際に、前記上面部に倒れ込んだ部位が、前記受け部からの荷重を受けて上下方向に圧縮変形するように、前記上面部よりも上方に位置する厚みを有して形成されたものである。
【００１９】
上記構成によれば、突起を上面部側へ倒れるように撓み変形させながらも突起の長さを十分に確保することができるため、バンプストッパの配置箇所をコンパクトにしつつ、突起による異音防止効果を得ることができる。
【００２０】
ここで前記所定方向とは、バンプストッパ上面部が受け部に当接して突起が撓み変形する際に、該突起が倒れ込む特定の方向すなわち、一義的に決定される突起の倒れ込み方向を示すものとする。
【００２１】
この発明の態様として、前記上面部に、倒れた状態の前記突起の一部を格納し、残りの部分を前記上面部に対して突出させる凹部を設けたものである。
【００２２】
上記構成によれば、倒れた状態の突起の一部を凹部に格納し、残りの部分を上面部に対して突出させることにより、バンプストッパ上面部が受け部への当接時に、該残りの部分を受け部に当接させることができ、突起を倒れるように撓み変形させるだけでなく倒れた状態の突起を圧縮変形させることができる。これにより、受け部との当接による衝撃吸収性能を高めることができる。
【００２３】
すなわち、例えば、突起を倒れるように撓み変形させるだけで受け部への当接時の衝撃を吸収するよりも短い倒れ変形長さ（変形ストローク）で異音を防止することができる一方で、倒れた状態の突起の一部を凹部に格納することで底付き後の突起が打音の原因になることを防ぐことができる。
【００２４】
またこの発明の態様として、前記凹部は前記突起の厚みよりも浅く形成したものである。
【００２５】
上記構成によれば、突起を効率的に圧縮させることができる。
【００２６】
またこの発明の態様として、前記凹部は前記突起の高さ（長さ）よりも短く形成したものである。
【００２７】
上記構成によれば、倒れた状態の突起の位置の調整を容易に行うことができる。
【発明の効果】
【００２８】
この発明によれば、バンプストッパの配置箇所をコンパクトにしつつ、突起による異音防止効果を得ることができる。
【図面の簡単な説明】
【００２９】
【図１】本実施例のバンプストッパを備えたサスペンション装置上部の縦断面図
【図２】本実施例のバンプストッパの平面図
【図３】本実施例のバンプストッパの片側断面図
【図４】本実施例のバンプストッパの上部の一部を示す斜視図
【図５】本実施例のバンプストッパの作用説明図
【図６】本実施例のバンプストッパの作用説明図
【図７】バンプストッパの荷重特性を示す特性図及び試験方法の説明図
【図８】本発明の他の実施例のバンプストッパの説明図
【図９】本発明の他の実施例のバンプストッパの説明図
【図１０】本発明の他の実施例のバンプストッパの説明図
【発明を実施するための形態】
【００３０】
この発明の一実施例を以下図面に基づいて詳述する。  
図１は本実施例のバンプストッパを備えた右前輪用のストラット式サスペンション装置における上部の縦断面図、詳しくは図２中のＡ−Ｏ−Ｂ線矢視に相当する断面を示す。但し、図１中のバンプストッパは端面図で示している。図２は本実施例のバンプストッパの平面図であり、図３は本実施例のバンプストッパの左片側を断面とした正面図であり、紙面向かって左側の断面は図２中のＡ−Ｏ線矢視断面である。図４は本実施例のバンプストッパの上部の一部を示す斜視図である。
【００３１】
さらに、図１中、矢印Ｕは車両上方を示し、矢印ＩＮは車両内方を示し、矢印ＯＵＴは車両外方を示し、図２中、矢印ｄｒは上面部の径方向内側を示し、図中、矢印Ｒはロッド軸方向を示す。
【００３２】
本実施例のバンプストップラバー３０（以下、「バンプストッパ３０」という。）を備えた車両のサスペンション装置１は、図１に示すように、車輪を回転自在に支持する不図示の車輪支持部材（ナックル）と車体側部材との間に備えたストラット式のサスペンション装置であり、車輪の振動を衝撃吸収するように構成している。
【００３３】
サスペンション装置１には図１に示すように、ダンパ２を備え、該ダンパ２は、車輪支持部材に対して下端が固定されたダンパ本体としてのダンパ外筒３と、該ダンパ外筒３内を進退作動する不図示のピストンに連結されたピストンロッド４（以下、「ロッド４」という。）とを備えた油圧ダンパである。
【００３４】
なお、ダンパ外筒３の上端には、ロッド４をダンパ外筒３に対して出し入れ自在に該上端の開口を閉塞するとともにバンプ時にダンパ外筒３が上動してバンプストッパ３０の下端に当接するバンプキャップ５を嵌装している。
【００３５】
また、ロッド４の上端は、サスペンション装置１のマウント部材としての車体側取付部６に固着されている。車体側取付部６の下部には、ダンパ２および後述するスプリング１５からの入力荷重を別々に受け止める受止めブラケット１４を該車体側取付部６に対して一体に固着している（図１参照）。
【００３６】
そして、ダンパ外筒３の中間部に下側バネ座１９が固定され、該下側バネ座１９と、受止めブラケット１４に設けられた後述する上側バネ座１４２との間であって、バンプストッパ３０よりも径方向外側には、ダンパ外筒３の上下動を緩衝するコイル状のスプリング１５が介設されている。
【００３７】
車体側取付部６は、ロッド４を支持するロッド支持部７と、車体側へ取り付ける取付プレート１２と、これらロッド支持部７と取付プレート１２との間に介在するラバー１３等で一体に構成している。
【００３８】
ロッド支持部７は、取付プレート１２よりも径方向内側に備えており、上カップ７ａと下カップ７ｂとで構成している。これら上カップ７ａおよび下カップ７ｂは、いずれもロッド４の上端を挿通可能な貫通孔１１，１１を有した有底円筒状に形成され、互いの底面部が背中合わせでロッド軸方向の上下に配置されるようにロッド４の上端を挿着している。詳しくは、ロッド支持部７は、ロッド４の上端下部に形成した段付状の肩部２１に係合され、さらに上方からロッド４の上端に螺合するナットＮで締結している。
【００３９】
取付プレート１２は、車体側の不図示のストラットタワーにボルトＢ等の締結部材により一体に取り付け可能に車体側取付部６の上部外周側に備えている。
【００４０】
また、車体側取付部６の下部に備えた上述の受止めブラケット１４は、その中心にロッド４を挿通する貫通孔１４ａが形成され、該受止めブラケット１４の下部外周には、上側バネ座１４２を形成するとともに、下部内周には、バンプストッパ３０の上面部３５が当接するバンプストッパ３０の受け部１４１を形成している。さらに、受止めブラケット１４の貫通孔１４ａを形成する内周面１６の下端部には、受け部１４１の内周面１６と下面１７とで形成されるエッジ部１８（角部）を有している。
【００４１】
上述のバンプストッパ３０は、図１〜図３に示すように、ロッド４が挿通可能に貫通形成した挿通孔３１を有する略円筒状の部材であり、全体がウレタン等の弾性部材からなる成形体である。このバンプストッパ３０は、ロッド４の上部、すなわちロッド軸方向のダンパ外筒３と受け部１４１との間にロッド４に対して同心状に取り付けられている。
【００４２】
図３に示すように、バンプストッパ３０は、その上部よりも下側部分であって外周面側および内周面側には、ロッド軸方向に環状の山部３２ａ，３３ａと溝部３２ｂ，３３ｂとを交互に設けながら下方程先細り（下方程薄肉）になるように蛇腹状に形成している。
【００４３】
このように、バンプストッパ３０の下側部分における内周側および外周側に、複数の環状の山部３２ａ，３３ａと溝部３２ｂ，３３ｂとを形成することで、バンプストッパ３０の下方のばね定数を小さくし、バンプストッパ３０の下端がダンパ外筒３上端に備えたバンプキャップ５に衝突してからばね定数が順に大きくなるように上側部分へ順に圧縮され、バンプ時の衝撃を効果的に吸収するようにしている。
【００４４】
また、バンプストッパ３０の下端には、バンプキャップ５が当接可能に下方へ向けて突出する複数の下端突起３４を周方向に等分配している（図１、図３参照）。
【００４５】
さらにまた、バンプストッパ３０の内周面の上部およびロッド軸方向の中間部の各山部３３ａ（径方向内側への突出部分）には、図２、図３に示すように、ロッド軸方向に延びる縦溝３３ｃを形成している。本実施例においては、縦溝３３ｃはバンプストッパ３０の内周面における周方向の所定部位であって、径方向に対向する各位置に一対形成している（図２参照）。
【００４６】
ところで図１〜図４に示すように、バンプストッパ３０の上面部３５には、該上面部３５（詳しくは後述する隆起部３９）から上方に突出するとともに、上下方向に長い複数の突起３６が設けられている。本実施例においては、図２に示すように、バンプストッパ３０の上面部３５に６つの突起３６を備え、夫々上面部３５の外周側に等分配している。すなわち、これら突起３６は、それぞれ挿通孔３１を隔ててバンプストッパ３０の径方向に対向する対（ペア）となるものが存在するように配設され、バンプストッパ３０の上面部３５において、互いに対向する一対の突起３６，３６が３組構成されるように配設されている（図２参照）。
【００４７】
これら突起３６は、図１〜図４に示すように、先端（上端）に丸みを持たせた先細り形状に形成している。詳しくは、突起３６におけるバンプストッパ３０の径方向外側部分は、先端から下方へ円錐状に形成するとともに、突起３６におけるバンプストッパ３０の径方向内側部分には径方向内側へ対向するように上面部３５（詳しくは後述する隆起部３９）から略平面状に立ち上がる立上がり面３６ａ（図３、図４参照）を有している。突起３６は、立上がり面３６ａが上方程径内側へ若干傾いた前傾姿勢の突形状で形成している（図１〜図４参照）。また突起３６は、倒れ方向であるバンプストッパ３０の径方向の肉厚よりも、上下方向に長く形成していることが好ましい。
【００４８】
このような突起３６は、ウレタン等の弾性部材で撓み変形可能に形成しているとともに、上述した突形状としていることにより、バンプ時に受け部１４１に当接すると、該受け部１４１から受ける荷重により、上面部３５からバンプストッパ３０の径方向外側へはみ出さずに該バンプストッパ３０の径方向内側（上面部３５側）へ確実に倒れ込むように撓み変形（内倒れ）する突形状としている。  
また、突起３６は、内倒れ時に途中で座屈することのない肉厚を確保して形成している。
【００４９】
突起３６は、内倒れた状態で上面部３５におけるエッジ部１８に対応する部位をバンプストッパ３０の径方向に跨ぐ長さを有しているが、先端部が挿通孔３１に到達しない（、すなわちロッド４に当接しない）長さで形成している（後述する図６（ａ）参照）。
【００５０】
バンプストッパ３０の上面部３５には、図２〜図４に示すように、内倒れた状態の突起３６を該上面部３５（詳しくは後述する隆起部３９）に対して下方に退避させる凹部３７を形成している。
【００５１】
また、上面部３５に上述した凹部３７を形成することにより、上面部３５における凹部３７以外の部分には、凹部３７の底面に対して隆起する隆起部３９が形成されている。本実施例における隆起部３９は、バンプストッパ３０の上面部３５において、周方向に隣り合う凹状部分３７ａの間部分に形成されるとともに、突起３６を下側から支持するように突起３６の配置箇所に形成している（図１、図２、図４参照）。
【００５２】
上記凹部３７は、図２に示すように、上面部３５において、バンプストッパ３０の径方向で対向する一対の突起３６，３６を繋ぐように挿通孔３１を跨いで対角線状に形成した凹状部分３７ａを有している。そして本実施例の上面部３５には、径方向に対向する一対の突起３６，３６を３組分有しているため、これら３組有する一対の突起３６，３６に対応させて周方向において３つの凹状部分３７ａを等分配させて形成している。これにより、３つの凹状部分３７ａを備えた凹部３７は、上面部３５において平面視放射状に形成している。さらに、凹部３７は、上記３つの凹状部分３７ａが上面部３５の中心で交わる部分すなわち、上面部３５における挿通孔３１の周縁部も含めて形成している（図２〜図４参照）。
【００５３】
上記構成により、凹部３７は、上面部３５における、上述のエッジ部１８に対応する部位に少なくとも形成している（後述する図５（ａ）、図６（ａ）参照）。
【００５４】
さらに凹部３７は、上面部３５における突起３６の基部３６Ｍ周辺を含めて形成している。  
詳しくは、図２〜図４に示すように、突起３６の基部３６Ｍ周辺、すなわち突起３６における上面部３５の周方向の両側、換言すると突起３６における平面視で径方向に直交する方向の両側には、突起側方溝３８を凹部３７の一部として形成しており、該突起側方溝３８は、上面部３５の突起３６に対して径方向内側の凹状部分３７ａと、バンプストッパ３０の上部に対して径方向外側空間とが径方向に沿って連通するように径方向に延びる溝状に形成している。
【００５５】
上述した凹部３７は、図２に示すように、突起３６の上記両側に形成した突起側方溝３８の分だけ突起３６の幅よりも広く形成している。本実施例の凹部３７は、内倒れ状態の突起３６が受け部１４１から荷重を受けてさらに厚み方向へ圧縮変形するに伴って幅方向外側へ広がるように変形した際に、その変形を許容する幅を有して形成している（図６（ｃ）参照）。
【００５６】
さらに、凹部３７は、内倒れた状態の突起３６の一部を格納し、残りの部分を前記上面部３５に対して突出する深さＤに形成している（後述する図５（ｃ）参照）。
【００５７】
本実施例において、凹部３７は、内倒れた状態の突起３６の基部３６Ｍの厚みＴＭ（ロッド軸方向の長さＴＭ）よりも浅く形成している（ＴＭ＞Ｄ、後述する図５（ｃ）、図６（ｃ）参照）。さらに、凹部３７は、バンプ時に、バンプストッパ３０の上面部３５が受け部１４１に当接しても内倒れた状態の突起３６がエッジ部１８に当接しないように上面部３５（詳しくは、隆起部３９）に対して下方へ退避させることができるように、内倒れた状態の突起３６の先端部３６Ｎ、すなわちエッジ部１８に対応する部分の厚みＴＮよりも深く形成している（ＴＮ＜Ｄ、図１、後述する図５（ｃ）、図６（ｂ）参照）。
【００５８】
上述したサスペンション装置１がバンプ時に、ロッド４におけるバンプキャップ５と受け部１４１との間に嵌着したバンプストッパ３０が奏する作用について図５（ａ）、（ｂ）、（ｃ）および図６（ａ）、（ｂ）、（ｃ）を用いて説明する。  
なお、図５は本実施例のバンプストッパ３０の作用説明図であり、詳しくは、図５（ａ）は、バンプ時にバンプストッパ３０が受け部１４１に衝突する前の状態を示す要部断面図であり、図５（ｂ）は、バンプ時にバンプストッパ３０が受け部１４１に衝突した状態を示す要部断面図であり、図５（ｃ）は、図５（ｂ）のＸ部拡大図である。図６は本実施例のバンプストッパ３０の作用説明図であり、詳しくは、図６（ａ）は、図５（ｂ）中のＤ−Ｄ線矢視の要部拡大図であり、図６（ｂ）は、図５（ｂ）中のＥ−Ｅ線矢視の要部断面図であり、図６（ｃ）は、図５（ｂ）中のＦ−Ｆ線矢視の要部断面図である。また、図６（ａ）中のドット部分は、受け部１４１との当接部分を示し、符号１８は受け部１４１のエッジ部を示す。
【００５９】
バンプ時にはスプリング１５の圧縮変形とともにダンパ外筒３が上動し、バンプキャップ５がバンプストッパ３０の下端に当接することにより、バンプストッパ３０がロッド軸方向に圧縮変形するとともにバンプストッパ３０の上面部３５が受け部１４１の下面１７に当接する。
【００６０】
なお、バンプキャップ５が当接する前に受け部１４１とバンプストッパ３０との間に隙間がある場合にも、ダンパ外筒３の上動に伴ってバンプキャップ５によりバンプストッパ３０が図５（ａ）中の矢印に示すように、ロッド軸方向に沿って押上げられ、バンプストッパ３０の上面部３５が受け部１４１の下面１７に当接する。
【００６１】
バンプストッパ３０が受け部１４１に当接する際には、まず、突起３６が受け部１４１に当接することで、図５（ｂ）、（ｃ）、図６（ａ）に示すように、突起３６は、受け部１４１からの衝突荷重を吸収しながら内倒れ（バンプストッパ３０の径方向内側へ撓み変形）する。
【００６２】
このとき、内倒れた状態の突起３６は、図５（ｂ）、（ｃ）、図６（ｂ）、（ｃ）に示すように、突起３６の先端部３６Ｎを含む一部が凹部３７に格納された状態となるが、残りの部分、すなわち突起３６の基部３６Ｍの厚み方向の上部は、上面部３５に対して突出した状態となる。
【００６３】
そして、内倒れた状態の突起３６の基部３６Ｍの上部が受け部１４１から荷重を受けて突起３６が厚み方向に圧縮することによって、バンプストッパ３０の上面部３５は、受け部１４１に当接する際の衝撃を吸収することができる。
【００６４】
さらに本実施例においては、図５（ｃ）、図６（ｂ）に示すように、凹部３７の底面に内倒れた状態の突起３６の先端側部分、すなわちエッジ部１８に対応する部位は、上面部３５（詳しくは、隆起部３９）に対して凹部３７へ退避した状態となる。これにより、バンプ時にバンプストッパ３０の上面部３５が受け部１４１に当接した際に、突起３６が受け部１４１のエッジ部１８からせん断荷重を受けることを回避することができる。
【００６５】
なお、バンプストッパ３０によりバンプ時の衝撃吸収後に、ダンパ外筒３が下動した際には、突起３６はその弾性力により上方へ突出した図５（ａ）に示すような状態に復元する。
【００６６】
ここで、上述した本実施例のバンプストッパ３０と、比較例として上面部に本実施例のような突起３６を備えていない従来のバンプストッパ（図示省略）との夫々についての荷重と撓みとの関係を示す荷重特性を測定し、バンプ時における衝撃吸収性能について比較する効果確認試験を行った。なお、効果確認試験の際には、図７（ａ）に示すように、バンプストッパ３０の上部を外周側からホルダ等の治具１００で保持し、この保持された状態のバンプストッパ３０の上面部３５に対して、上方から受け部１４１に対応する押圧治具１０１によりバンプ時と同様の荷重を加えることで荷重特性を測定した。なお、比較例のバンプストッパについても上述した本実施例のバンプストッパ３０の場合と同様の要領で荷重特性の測定を行った。
【００６７】
その結果、図７（ｂ）に示すように、バンプ時の荷重に対して荷重が急峻に立ち上がる荷重特性ｂを示した比較例のバンプストッパと比較して本実施例のバンプストッパ３０は、荷重が緩やかに立ち上がる荷重特性ａを示したことから本実施例のような突起３６を備えていない比較例のバンプストッパと比較して衝撃吸収性に優れ、結果的にバンプ時における異音の発生を抑制できることを確認できた。
【００６８】
上述したサスペンション装置１は、ダンパ２のピストンロッド４にバンプストッパ３０を備え、該バンプストッパ３０上方に、ダンパ外筒３の上動時にバンプストッパ３０の上面部３５が当接する受け部１４１が配置され（図１参照）、バンプストッパ３０の上面部３５に、所定方向として径方向内側ｄｒ（図２参照）に撓み変形するとともに上面部３５に倒れるように撓み変形する上下方向に長い突起３６が設けられたものである（図２〜図６参照）。
【００６９】
上記構成によれば、受け部１４１からの荷重を受けて突起３６が倒れ変形する際と、倒れた状態で圧縮変形する際との夫々において衝撃吸収性能を得ることができる。このように１つの突起３６に撓みと圧縮との双方の変形による衝撃吸収性能を担わせたので、例えば、撓み用の突起と圧縮用の突起との２種類の突起を設けた従来のバンプストッパのように、バンプストッパの上面部が受け部１４１へ当接した際に、撓み用の突起が撓んで圧縮用の突起に干渉することにより２種類の突起の衝撃吸収性能が互いに打ち消し合うことがない。さらに、このような２種類の突起の干渉の問題が生じることもないため、突起３６の長さを十分に確保することができ、結果的に優れた衝撃吸収性能を得ることができる。
【００７０】
しかも、突起３６は、所定方向、本実施例においては径方向内側ｄｒ（図２参照）に撓み変形させることができるため（図５（ｃ）、図６（ａ）参照）、複数の突起３６を上面部３５の径方向外側へ配設しても、確実に上面部３５にから径方向外側へはみ出さないように上面部３５側へ倒れ変形させることができる。
【００７１】
従って、バンプストッパ３０の配置箇所をコンパクトにしつつ、突起３６による異音防止効果を得ることができる。
【００７２】
加えて、上記構成によれば、突起３６は上面部３５において所定方向すなわち、特定の一方向（径内側方向）に倒れるように形成したため、図２〜図４に示すように、上面部３５に突起３６を格納するための凹部３７を上面部３５に設ける場合であっても、従来のバンプストッパのように、突起が倒れる方向を特定できないために凹部を上面部における突起周辺全体に形成する必要がない。
【００７３】
よって、凹部３７は、突起３６に対して所定方向の側（径方向内側）のみに形成すれば足りるため、バンプストッパ３０の上部の肉を確保でき、バンプストッパ３０全体としての衝撃吸収性能を確保することができる。
【００７４】
さらにまた、上面部３５において突起３６がバンプストッパ３０の所定方向（径内側方向）に倒れるように形成したため、倒れた突起３６が上面部３５から径方向外側へはみ出さないようにするために突起３６の上面部３５における配置箇所が径方向内側に限定されることや突起３６の長さ等の制約を受けることがなく、突起３６の配置や長さを任意に設定することができ、安定した衝撃吸収性能を得ることができる。
【００７５】
この発明の態様として、バンプストッパ３０の上面部３５に、倒れた状態の突起３６の一部を格納し、残りの部分としての突起３６の基部３６Ｍの厚み方向の上部を上面部３５に対して突出させる凹部３７を設けたものである（図１〜図６の特に図５（ｃ）参照）。
【００７６】
上記構成によれば、バンプストッパ３０の上面部３５が受け部１４１に当接する際に、突起３６を倒れ変形させるだけでなく、内倒れた状態の突起３６における上面部３５から突出する残りの部分が受け部１４１から荷重を受けることで突起３６を圧縮変形させることができる。
【００７７】
これにより、バンプストッパ３０の上面部３５が受け部１４１への当接時に、突起３６による緩衝性能を高めることができ、異音を防止することができる。
【００７８】
さらに、突起３６の撓み変形する長さ（ストローク）を過剰に長くする必要もなく突起３６を短い突出長さ（倒れ変形ストローク）とすることができるとともに、撓み用と圧縮用との２種類の突起を上面部に設けた場合に生じるおそれのある上述した２種類の突起同士の干渉の問題をより確実に防ぐことができる。
【００７９】
しかも、バンプストッパ３０の上面部３５が受け部１４１への当接時に、内倒れた状態の突起３６の一部を格納することで、内倒れた状態の突起３６と受け部１４１との接触面積が大きくなりすぎるおそれを防ぐことができる。これにより、内倒れた状態の突起３６が受け部１４１に衝突直後におけるバンプストッパ３０のバネ定数が大きくなりすぎることを抑え、底付き後の突起３６（上面部３５に倒れるまで撓んだ突起３６）が打音の要因になることを防ぐことができる。
【００８０】
さらにまた、例えば、突起３６の形状（長さ、厚み）と凹部３７の形状（深さ、幅）、或いはこれら突起３６や凹部３７の配置箇所に応じて突起３６の倒れ変形時と圧縮変形時との衝撃吸収性能を別々に設定することも可能となり、設計自由度を高めることができる。
【００８１】
この発明の態様として、凹部３７は突起３６の厚みよりも浅く形成したものである（図４、図５（ｃ）、図６（ｃ）参照）。
【００８２】
上記構成によれば、撓み変形した状態の突起３６の厚み方向の一部は凹部３７に格納され、残り部分としての突起３６基部３６Ｍの上部が上面部３５に対して突出させる（すなわち、凹部３７からはみ出す）ことができるため、バンプ時に、この突起３６の基部３６Ｍの上部が受け部１４１に当接して受け部１４１から衝突荷重を受けることで突起３６を効果的に圧縮させることができ、優れた衝撃吸収性能を得ることができる。
【００８３】
従って、例えば、倒れ変形した突起３６全体を凹部３７に格納して受け部１４１からの荷重を上面部３５（詳しくは、隆起部３９）によって受ける場合と比較して突起３６による緩衝性能を高めて異音を防ぐことができる一方で、例えば、倒れ変形した突起３６全体を凹部３７に格納しないで突起３６全体で受け部１４１からの荷重を受ける場合とは異なり、受け部１４１に衝突直後において底付き後の突起３６が打音の要因になることを防ぐことができる。
【００８４】
また、上述したサスペンション装置１は、ダンパ２のピストンロッド４にバンプストッパ３０を備え、該バンプストッパ３０上方に、ダンパ外筒３の上動時にバンプストッパ３０の上面部３５が当接する受け部１４１が配置され、受け部１４１における上面部３５との当接部位にエッジ部１８が設けられ（図１、図５（ａ）、（ｂ）、（ｃ）、図６（ａ））、バンプストッパ３０の上面部３５に、該上面部３５に倒れるように撓み変形する上下方向に長い突起３６が設けられ（同図参照）、上面部３５における少なくともエッジ部１８に対応する部位に、倒れた状態の突起３６を上面部３５に対して下方に退避させる凹部３７を形成したものである（図５（ｂ）、（ｃ）、図６（ａ）、（ｂ）参照）。
【００８５】
上記構成によれば、バンプストッパ３０の上面部３５に設けた上下方向に長い突起３６を倒れ変形させることで突起３６の撓バネ定数を下げることができ、ダンパ外筒３の上動時にバンプストッパ３０の上面部３５が受け部１４１に当接することによる衝撃が急激に高くならないようにその衝撃を吸収することができる。
【００８６】
さらに、バンプストッパ３０の上面部３５における少なくともエッジ部１８に対応する部位に、該上面部３５に向けて倒れた突起３６を退避させる凹部３７を設けたため、受け部１４１のエッジ部１８によるせん断荷重により突起３６が損傷することを防ぐことができる。
【００８７】
しかも、突起３６は、受け部１４１との当接時に内倒れによって受け部１４１のエッジ部１８によるせん断荷重により突起３６が損傷することを考慮して上面部３５の径方向外側へ撓み変形（外倒れ）させる必要がないため、バンプストッパ３０の配置スペースのコンパクト化を図ることができる。
【００８８】
またこの発明の態様として、凹部３７を、上面部３５における突起３６の基部３６Ｍ周辺を含めて形成することができる。すなわち、本実施例において、凹部３７は突起３６の周方向の両側に形成した突起側方溝３８を含めて形成することができる（図２〜図４参照）。
【００８９】
上記構成によれば、凹部３７を突起３６の基部３６Ｍの周辺まで形成することで、実質的に突起３６の長さを確保しつつ、突起３６の基部３６Ｍ側も含めてより撓み変形させることができるため（図５（ｂ）、（ｃ）、図６（ａ）参照）、突起３６のエッジ部１８に対応する部位が上面部３５（詳しくは、隆起部３９）に対して下方に確実に退避するまで突起３６を倒れ変形させることができる。
【００９０】
またこの発明の態様として、突起３６は先細り形状で形成したものである（図１〜図４参照）。
【００９１】
上記構成によれば、凹部３７を深く形成せずとも受け部１４１に設けたエッジ部１８により突起３６がせん断荷重を受けて損傷しないように退避させることができるため（図５（ｃ）、図６（ｂ）参照）、凹部３７を形成することによるバンプストッパ３０の肉の減少を最小限に抑制し、バンプストッパ３０の衝撃吸収性能を確保することができる。
【００９２】
またこの発明の態様として、上面部３５において突起３６を互いに対向するように対角線状に設け、凹部３７をこれら突起３６を繋ぐように形成したものである（図２参照）。
【００９３】
上記構成によれば、倒れ込み状態の突起３６を上面部３５に対して下方へ退避させる凹部３７（凹状部分３７ａ）を、一対の突起３６，３６間で共通化することができる。よって、受け部１４１に設けたエッジ部１８により突起３６がせん断荷重を受けて損傷しないように突起３６を上面部３５に対して下方へ退避させつつ、上面部３５に凹部３７を効率よく設けることでバンプストッパ３０の上部の肉を確保して衝撃吸収性能を確保することができる。
【００９４】
この発明の構成と、上述の実施例との対応において、バンプストッパ構造は、サスペンション装置１に対応し、以下、同様に、  
ダンパ本体は、ダンパ外筒３に対応し、  
所定方向は、径方向内側ｄｒに対応し、  
突起の残りの部分は、突起３６の基部３６Ｍの厚み方向の上部に対応するも、この発明は、上述の実施例の構成のみに限定されるものではない。
【００９５】
例えば、上述した実施例では、凹部３７は、上面部３５において突起３６の高さ（長さ）よりも長く形成したが（図２、図６参照）、他の実施例として、図８（ａ）、（ｂ）に示すように、凹部３７Ａは突起３６の高さ（長さ）よりも短く形成してもよい。  
なお、図８（ａ）、（ｂ）はいずれも他の実施例のバンプストッパ３０Ａを断面で示した構成説明図であり、図８（ａ）は受け部１４１に衝突前の状態を示すとともに、図８（ｂ）は受け部１４１に衝突した状態を示す。また、以下で説明する他の実施例は、上述したバンプストッパ３０と同様の構成については同一の符号を付してその説明を省略する。
【００９６】
詳しくは、図８（ａ）、（ｂ）に示すように、本実施例の凹部３７Ａは、内倒れた状態の突起３６を平面視で横切るように上面部３５に、平面視で径方向に直交する方向に沿って設けている。そして凹部３７Ａの幅ＬＡ（径方向長さ）は、突起３６の高さＨ（長さ）よりも短く形成している。
【００９７】
これにより、本実施例においては、バンプストッパ３０の上面部３５が受け部１４１への当接時に突起３６が上面部３５に倒れ込んだ状態において、図８（ｂ）に示すように、該突起３６の長さ方向の一部、すなわち、凹部３７Ａを跨ぐ部分の少なくとも一部（下部）が凹部３７Ａに格納され、残り部分、すなわち凹部３７Ａに対して径方向の両側等の部分が上面部３５から突出した状態とすることができる。
【００９８】
よって、バンプストッパ３０の上面部３５が受け部１４１に当接する際に、突起３６を倒れ変形させるだけでなく、倒れた状態の突起３６における上面部３５から突出する部分が受け部１４１から荷重を受けることで突起３６を圧縮変形させることができ、凹部３７を突起３６の厚みよりも浅く形成した上述した実施例と同様に、突起３６の倒れ変形と圧縮変形との双方の衝撃吸収性能を得ることができる。
【００９９】
また、バンプストッパ３０の上面部３５が受け部１４１への当接時に、内倒れた状態の突起３６の一部を格納することで、上述したように、内倒れた状態の突起３６が受け部１４１に衝突直後におけるバンプストッパ３０のバネ定数が大きくなりすぎることを抑え、底付き後の突起３６が打音の要因になることを防ぐことができる。
【０１００】
加えて上述したように、上面部３５における凹部３７の形状（深さ、長さ）、配置箇所、配置数等に応じて、上面部３５に倒れ込んだ状態の突起３６のいずれの部位を凹部３７に格納し、残り部分を上面部３５から突出させるかについて設定することができる。これにより、受け部１４１から受ける荷重に対して倒れ込み状態の突起３６による反力（弾性力）を調整することができる。
【０１０１】
また、本発明のバンプストッパは、上面部３５に備えた突起３６が受け部１４１に当接時して撓み変形する際に、必ずしも上面部３５の径方向内側に撓み変形（内倒れ）するように突起３６を構成に限らず、上面部３５から径方向外側へはみ出さずに上面部３５側に倒れ込む構成であれば、例えば、上面部３５の周方向や径方向外側に倒れ込むように撓み変形する構成としてもよい。
【０１０２】
例えば、他の実施例のバンプストッパ３０Ｂのように、上面部３５に備えた突起３６Ｂが、上面部３５の周方向（平面視で径方向に直交する方向）に倒れ込むように形成してもよい。
【０１０３】
バンプストッパ３０Ｂの上面部３５には、例えば、図９に示すように、長辺が径方向に直交するように平面視矩形状に形成した４つの凹部３７Ｂを周方向に等分配している。そして夫々の凹部３７Ｂの底面における長辺方向の両側には、長辺方向で互いに対向するように配置した一対の突起３６Ｂ，３６Ｂを形成している。
【０１０４】
上記構成により、これら一対の突起３６Ｂ，３６Ｂは、夫々受け部１４１との当接時に、対向する他方の突起３６Ｂ側へ倒れ込む。その際、図９中に仮想線で示した突起３６Ｂのように、一対の突起３６Ｂ，３６Ｂは、凹部３７Ｂにおける短辺方向の一方側と他方側とに互い違いに倒れ込んで互いに干渉しないように突出形成しているため、受け部１４１との当接時に倒れ込み変形して優れた衝撃吸収性能を得ることができる。
【０１０５】
また、図１０（ａ１）は本発明の他の実施例のバンプストッパ３０Ｃの平面図であり、図１０（ａ２）、（ａ３）は図１０（ａ１）中のＧ−Ｇ線矢視の要部を示す断面により示した作用説明図であり、図１０（ａ２）は受け部１４１に衝突前の状態を示すとともに、図１０（ａ３）は受け部１４１に衝突した状態を示す。
【０１０６】
図１０（ａ１）、（ａ２）に示すように、本実施例のバンプストッパ３０Ｃは、その上面部３５において凹部３７Ｃを上述した実施例のように放射状に形成せず、エッジ部１８に対応する部位として挿通孔３１の外周縁部にのみにロッド軸方向と同心円状に形成している。
【０１０７】
上記構成によれば、図１０（ａ３）に示すように、バンプ時にバンプストッパ３０Ｃの上面部３５が受け部１４１に当接した際に、撓み変形した状態の突起３６の基部３６Ｍが上面部３５（詳しくは、隆起部３９Ｃ）に対して突出させる（すなわち、凹部３７Ｃからはみ出す）ことができるため、上述したように、バンプ時に、突起３６の撓み変形と圧縮変形との双方による優れた衝撃吸収性能を得ることができる。
【０１０８】
しかも、上記構成によれば、図１０（ａ３）に示すように、バンプ時にバンプストッパ３０Ｃの上面部３５が受け部１４１に当接した際に、内倒れた突起３６における先端部３６Ｎ、すなわち受け部１４１のエッジ部１８に対応する部位は、上面部３５（詳しくは、隆起部３９）に対して凹部３７に退避した状態とすることができるため、せん断荷重により損傷することを防ぐことができる。
【０１０９】
加えて、バンプストッパ３０Ｃは、その上面部３５において凹部３７Ｃを、受け部１４１のエッジ部１８に対応する部位のみに形成し、それ以外の部位には極力形成しない構成としたため、凹部３７Ｃを形成することによるバンプストッパ３０Ｃの肉の減少を最小限に抑制し、バンプストッパ３０Ｃの衝撃吸収性能を確保することができる。
【０１１０】
また、図１０（ｂ１）、（ｂ２）は、本発明のさらに他の実施例のバンプストッパ３０Ｄの説明図であり、図１０（ｂ１）は受け部１４１に衝突前の状態を示すとともに、図１０（ｂ２）は受け部１４１に衝突した状態を示す。
【０１１１】
図１０（ｂ１）、（ｂ２）に示すバンプストッパ３０Ｄは、上述した実施例と同様に、突起３６を先端程径方向の肉が薄くなるように先細り形状に形成しおり、この先細り形状の突起３６に対応させて凹部３７Ｄの底面をバンプストッパ３０Ｄの径方向外側から径方向内側へ徐々に浅くなるように傾斜して形成している。但し、この凹部３７Ｄにおいても、内倒れた突起３６の少なくともエッジ部１８に対応する部位が上面部３５に対して退避した状態となる深さを確保しているものとする（図１０（ｂ２）参照）。
【０１１２】
上記構成によれば、撓み変形した状態の突起３６の厚み方向の一部は凹部３７Ｄに格納され、残り部分としての突起３６の基部３６Ｍの上部が上面部３５に対して突出させることができるため、上述したように、バンプ時に、突起３６の撓み変形と圧縮変形との双方による優れた衝撃吸収性能を得ることができる。
【０１１３】
さらに、上記構成のように、凹部３７Ｄの底面をバンプストッパ３０Ｄの径方向内側が径方向外側よりも高くなるように形成しても、バンプ時にバンプストッパ３０Ｄの上面部３５が受け部１４１に当接した際に、内倒れた突起３６における受け部１４１のエッジ部１８に対応する部位は、上面部３５（詳しくは、隆起部３９）に対して凹部３７Ｄに退避した状態となるように形成したため（図１０（ｂ２）参照）、エッジ部１８からのせん断荷重による損傷を低減、或いは回避することができる。
【０１１４】
しかも、凹部３７Ｄをバンプストッパ３０Ｄの径方向外側から径方向内側へ徐々に浅くなるように形成することで、凹部３７Ｄの全体を径方向外側と同様の深さで形成する場合と比較して、凹部３７を形成することによるバンプストッパ３０Ｄの肉の減少を最小限に抑制し、バンプストッパ３０Ｄの衝撃吸収性能を確保することができる。
【０１１５】
また本発明は、例えば、図１に示すバンプストッパ３０のように、上面部３５に、倒れた状態の突起３６の一部を格納し、残りの部分としての突起３６の基部３６Ｍの上部を上面部３５に対して突出させる凹部３７を設けた構成したが（図５（ｃ）参照）、このような構成に限定しない。  
さらに、図５（ｃ）に示すように、倒れ変形した突起３６の少なくともエッジ部１８に対応する部位は上面部３５に対して凹部３７へ退避させる構成としたが、このような構成に限定しない。  
すなわち、本発明は、例えば、図示しないが倒れた突起３６全体が上面部３５から突出させた状態となるように上面部３５に凹部３７を全く形成しない構成や、倒れた突起３６を凹部３７に全く格納しない構成を排除するものではない。
【０１１６】
また、上述した実施例では、受け部１４１に形成したエッジ部１８は、受け部１４１の内周面１６と下面１７とで形成されるエッジ部としたが、これに限らず、例えば、受け部１４１に形成した空気や水を流すための溝、孔等の縁部に形成される図示しないエッジ部（角部、突状部）を対象としてもよい。
【産業上の利用可能性】
【０１１７】
以上説明したように、本発明は、ダンパのピストンロッドに取り付けられ、ダンパ本体の上動時に上面部が受け部に当接して衝撃吸収を行うバンプストッパ構造について有用である。
【符号の説明】
【０１１８】
１…サスペンション装置（バンプストッパ構造）
２…ダンパ
３…ダンパ外筒（ダンパ本体）
４…ロッド（ピストンロッド）
３０，３０Ａ，３０Ｂ，３０Ｃ，３０Ｄ…バンプストッパ
３５…バンプストッパの上面部
３６，３６Ｂ…突起
３７，３７Ａ，３７Ｂ，３７Ｃ，３７Ｄ…凹部
１４１…受け部
ｄｒ…径方向内側（所定方向）
ＴＭ…突起基部の厚み
Ｈ…突起の高さ
Ｄ…凹部の深さ
ＬＡ…凹部の長さ
【図１】
0006718246.tif 000002
【図２】
0006718246.tif 000003
【図３】
0006718246.tif 000004
【図４】
0006718246.tif 000005
【図５】
0006718246.tif 000006
【図６】
0006718246.tif 000007
【図７】
0006718246.tif 000008
【図８】
0006718246.tif 000009
【図９】
0006718246.tif 000010
【図１０】
0006718246.tif 000011